(57)【要約】【課題】会議などの図面資料には、必要最小限の情報を記載し見易さなどを確保するため、他の資料への流用は困難である。しかし、資料を作成する前段階では多くの情報を入手しているはずである。入手した情報を全て保持し、その情報を目的に応じて表示の切り替えを行うことで、情報の再利用を可能にすること。元になる情報を改定した場合、抜け洩れなく表示している情報に反映させることができる情報表示装置を得ること。【解決手段】収集した情報を構成する要素ごとに属性と属性値の組からなる情報単位としてデータベースに集積し、目的に合った表示を得るために表示制御データである表示情報を設定し、属性毎に表示／非表示を設定することで情報の取捨選択を行う。さらに、属性の値は情報単位無いのみに存在するようにしたので、情報の一元管理を可能とした。【選択図】  図１
2005284500.tif 000002
【特許請求の範囲】
【請求項１】
情報の表示範囲において各情報単位を配置して表示させる情報表示装置において、
前記情報単位毎に付けられた名称と、１つの情報単位に属する構成要素の属性と、その属性のとる値の組からなる情報単位を多数集積した情報データベース記憶手段と、
情報データベース記憶手段に記憶されている情報単位の中から表示すべき情報単位を選択的に１つ又は複数指定し、前記情報の表示範囲において表示位置を含む表示を制御するための第１表示制御データを情報単位毎に設定する情報単位指定手段と、
前記情報単位指定手段により選択された各情報単位において、前記情報単位を構成する各属性毎に表示／非表示を含む表示を制御するための第２表示制御データを設定する情報単位表示制御データ設定手段と、
前記情報単位指定手段により指定された各情報単位の各名称と関連させて前記各第１表示制御データと、前記情報単位表示制御データ設定手段により設定された前記各第２表示制御データとを表示情報として記憶する表示情報記憶手段と、
前記表示情報に基づいて、選択された前記各情報単位を前記表示範囲に配置表示する出力手段と
を有することを特徴とする情報表示装置。
【請求項２】
前記第１表示制御データは、表示範囲における大きさ、表示形状、色、表示倍率をさらに有することを特徴とする請求項１に記載の情報表示装置。
【請求項３】
前記情報単位指定手段により選択された情報単位において、前記情報単位の表示内部にさらに他の情報単位を階層的に表示するために表示する情報単位の表示情報を選択的に指定し、第３の表示制御データとする階層的表示情報指定手段をさらに有し、
前記表示情報記憶手段は、前記表示情報に前記第３の表示制御データをさらに記憶することを特徴とする請求項１又は請求項２に記載の情報表示装置。
【請求項４】
前記情報データベースにおいて、情報単位の属性を指定して、前記指定した属性の値を対象に該当する情報単位を検索する情報単位検索手段と、
前記情報単位検索手段により得られた検索結果の情報単位を表示する為に検索結果の情報単位の名称と関連させた第１表示制御データと、第２表示制御データを生成する検索結果表示制御データ生成手段をさらに有することを特徴とする請求項１乃至は請求項３いずれか１項に記載の情報表示装置。
【請求項５】
情報の表示範囲において各情報単位を配置して表示させる情報表示装置を動作させるプログラムにおいて、
前記情報単位毎に付けられた名称と、１つの情報単位に属する構成要素の属性と、その属性のとる値の組からなる情報単位を多数集積する情報データベース記憶手順と、
情報データベース記憶手順により記憶される情報単位の中から表示すべき情報単位を選択的に 1つ又は複数指定し、前記情報の表示範囲において表示位置を含む表示を制御するための第１表示制御データを情報単位毎に設定する情報単位指定手順と、
前記情報単位指定手順により選択された各情報単位において、その情報単位を構成する各属性毎に表示／非表示を含む表示を制御するための第２表示制御データを設定する情報単位表示制御データ設定手順と、
前記情報単位指定手順により指定された各情報単位の各名称と関連させて前記各第１表示制御データと、前記情報単位表示制御データ設定手順により設定された前記各第２表示制御データとを表示情報として記憶する表示情報記憶手順と、
前記表示情報記憶手段に記憶されたデータに基づいて、選択された前記各情報単位を前記表示範囲に配置表示する出力手順と
によりコンピュータを動作させるためのプログラム。
【請求項６】
前記情報単位指定手順により選択された情報単位において、前記情報単位の表示内部にさらに他の情報単位を階層的に表示するために表示する情報単位の表示情報の名称を選択的に指定し、第３の表示制御データとする階層的表示情報指定手順をコンピュータにさらに実行させ、
前記表示情報記憶手順は、前記第３の表示制御データをさらに記憶することを特徴とする請求項５に記載のプログラム。
【請求項７】
前記情報データベース記憶手順において記憶されている情報単位の集合から、情報単位の属性を指定して、前記指定した属性の値を対象に該当する情報単位を検索する情報単位検索手順と、
前記情報単位検索手順により得られた検索結果の情報単位を表示する為に検索結果の情報単位の名称と関連させた第１表示制御データと、第２表示制御データを生成する表示制御データ生成手順をコンピュータにさらに実行させることを特徴とする請求項６に記載のプログラム。
【発明の詳細な説明】
【技術分野】
【０００１】
本発明は、一旦作成した情報をデータベースとして集積し、集積した情報の再利用を促進する技術に関する。
【背景技術】
【０００２】
従来、図面などを含む説明資料などを作成する場合、全ての収集した情報を表示した図面資料をマスターとして作成し、目的別にマスターのコピーから、不要な情報を削除しながら、最終的な図面資料を作成する。又は、複数のマスター資料から、必要な部分のみを抽出し、目的の資料にコピーすることにより、最終的な資料を作成する。
【０００３】
別の目的の図面資料を作成する場合は、再度マスターの図面をコピーする所から始め、目的に合った情報のみを残し、目的に合った資料を作成する。
【０００４】
従って、マスターの情報を最新のものに更新した場合は、マスターをコピーして作成した図面、資料全てについても情報を更新しなおす必要がある。
【発明の開示】
【発明が解決しようとする課題】
【０００５】
解決しようとする問題点は、打ち合わせなどで、利用する図面資料には、必要最低限の情報しか記載されておらず、別目的への再利用は困難である。しかし、一般的に図面を作成する前段階では、多くの情報を入手しているはずであり、目的に応じたフィルタリングをして情報を削ぎ落とし、資料としての見易さを確保している。
【０００６】
そこで、入手した情報全てを保持し、その中から、目的毎に表示の方法を切り替えることができれば、情報の再利用が加速し、図面や資料の作成時間を短縮することができるはずである。つまり、目的に適合する情報を抽出し、目的に適合する情報のみを表示することを可能にすることである。さらに、元になる情報のマスターデータを変更した場合は、抜け洩れなく即座に表示している情報に反映することである。
【０００７】
なお、請求項のある１つの発明が、上記した全ての目的を同時に達成するものと解されるべきではなく、個々の発明が、それぞれの目的を達成するものと解されるべきである。  
【課題を解決するための手段】
【０００８】
本発明の請求項１の発明は、上記の課題を解決するために、先ず、情報の表示範囲において各情報単位を配置して表示させる情報表示装置において、情報単位毎に付けられた名称と、１つの情報単位に属する構成要素の属性と、その属性のとる値の組からなる情報単位を多数、情報データベース記憶手段に集積するようにした。さらに、情報データベース記憶手段に記憶されている情報単位の中から表示すべき情報単位を選択的に１つ又は複数指定し、情報の表示範囲において表示位置を含む表示を制御するための第１表示制御データを設定する情報単位指定手段と、情報単位指定手段により選択された各情報単位において、その情報単位を構成する各属性毎に表示／非表示を含む表示を制御するための第２表示制御データを設定する情報単位表示制御データ設定手段を有するようにした。さらに、情報単位指定手段により指定された各情報単位の各名称と関連させて各第１表示制御データと、情報単位表示制御データ設定手段により設定された各第２表示制御データとを表示情報として表示情報記憶手段に記憶するようにした。さらに、記憶された表示情報に基づいて、選択された各情報単位を表示範囲に配置表示する出力手段とを有することを特徴とする。
【０００９】
さらに、請求項２の発明は、第１表示制御データは、表示範囲における大きさ、表示形状、色、表示倍率をさらに有することを特徴とする。
【００１０】
さらに、請求項３の発明は、情報単位指定手段により選択された情報単位において、情報単位の表示内部にさらに他の情報単位を階層的に表示するために表示する情報単位の表示情報を選択的に指定し、第３の表示制御データとする階層的表示情報指定手段をさらに有し、表示情報記憶手段は、第３の表示制御データをさらに記憶することを特徴とする。
【００１１】
さらに、請求項４の発明は、情報データベースにおいて、情報単位の属性を指定して、指定した属性の値を対象に該当する情報単位を検索する情報単位検索手段と、情報単位検索手段により得られた検索結果の情報単位を表示する為に検索結果の情報単位の名称と関連させた第１表示制御データと、第２表示制御データを生成する検索結果表示制御データ生成手段をさらに有することを特徴とする。
【００１２】
さらに、請求項５の発明による情報の表示範囲において各情報単位を配置して表示させる情報表示装置を作動させるためのプログラムは、情報単位毎に付けられた名称と、１つの情報単位に属する構成要素の属性と、その属性の取る値の組からなる情報単位を多数集積する情報データベース記憶手順と、情報データベース記憶手順により記憶される情報単位の中から表示すべき情報単位を選択的に１つ又は複数指定し、情報の表示範囲において表示位置を含む表示を制御するための第１表示制御データを設定する情報単位指定手順と、情報単位指定手順により選択された各情報単位において、その情報単位を構成する各属性毎に表示／非表示を含む表示を制御するための第２表示制御データを設定する情報単位表示制御データ設定手順と、情報単位指定手順により指定された各情報単位の各名称と関連させて各第１表示制御データと、情報単位表示制御データ設定手順により設定された各第２表示制御データとを表示情報として個別の名称を付けて記憶する表示情報記憶手順と、表示情報に基づいて、選択された各情報単位を表示範囲に配置表示する出力手順とを有することを特徴とする。
【００１３】
さらに、請求項６の発明による情報の表示範囲において各情報単位を配置して表示させる情報表示装置を作動させるためのプログラムは、請求項５に記載のプログラムにおいて、情報単位指定手順により選択された情報単位において、情報単位の表示内部にさらに他の情報単位を階層的に表示するために表示する情報単位の表示情報の名称を選択的に指定し、第３の表示制御データとする階層的表示情報指定手順をコンピュータにさらに実行させ、表示情報記憶手順は、第３の表示制御データをさらに記憶することを特徴とする。
【００１４】
さらに、請求項７の発明による情報の表示範囲において各情報単位を配置して表示させる情報表示装置を作動させるためのプログラムは、請求項６に記載のプログラムにおいて、情報データベース記憶手順において記憶されている情報単位の集合から、情報単位の属性を指定して、指定した属性の値を対象に該当する情報単位を検索する情報単位検索手順と、情報単位検索手順により得られた検索結果の情報単位を表示する為に検索結果の情報単位の名称と関連させた第１表示制御データと、第２表示制御データを生成する表示制御データ生成手順をコンピュータにさらに実行させることを特徴とする。
【発明の効果】
【００１５】
本欄では、各請求項に記載の発明に関して、主としてその効果を記載する。発明の理解を容易にするために、例示的に具体化して説明しているが、請求項の構成を限定するものではない。そして、例示的に具体化して説明した部分は、発明の実施の形態の説明でもある。
【００１６】
請求項１の発明により、情報の表示範囲において各情報単位を配置して表示させる情報表示装置において、情報単位毎に付けられた名称と、１つの情報単位に属する構成要素の属性と、その属性のとる値の組からなる情報単位を情報データベース記憶手段に多数集積するようにした。ここで、情報データベース、情報単位、表示情報について図１、図２に示す例を用いて説明する。先ず、情報データベースは、情報単位を多数集積したものである。情報単位は、情報の名前と、情報を構成する属性と、その値からなる。情報単位を構成する属性の組は、情報単位により異なっていても、同一でも良い。情報単位を構成する要素により、構成される為、複数存在する。例えば、加工機を例に取ると、名称は、「加工機１」、属性としては、メーカー、価格、写真などからなる。属性の値としては、メーカは、メーカ名であり文字列である。価格は、購入価格であり、数値である。さらに、写真は、工作機の写真であり、’machine1.jpg’等の画像ファイルである。このようにして、情報単位を構成する要素を属性と、その値として記憶し、情報データベースとする。
【００１７】
次に、情報データベース記憶手段に記憶されている情報単位の中から表示すべき情報単位を選択的に１つ又は複数指定し、情報の表示範囲において表示位置を含む表示を制御するための第１表示制御データを情報単位指定手段により情報単位毎に設定する。つまり、例えば、情報データベースの一覧が表示装置に表示されており、これをマウス等により、クリックすることにより選択する。勿論、情報単位の名前入力欄を設定して、キーボードにより、情報単位の名称を入力し、指定しても良い。これにより、表示する情報単位を指定し、第１の表示制御データにおいて、表示範囲内における情報単位毎に表示位置を指定することができるようになる。次に、情報単位指定手段により選択された各情報単位において、その情報単位を構成する各属性毎に表示／非表示を含む表示を制御するための第２表示制御データを情報単位表示制御データ設定手段により設定する。つまり、第２の表示制御データは、情報単位を構成する構成要素の個々に対して、表示するか否かを指示する情報である。従って、必要な属性の値のみを表示することができるようになる。情報単位指定手段により指定された各情報単位の各名称と関連させて各第１表示制御データと、情報単位表示制御データ設定手段により設定された各第２表示制御データとを表示情報として表示情報記憶手段に記憶する。これにより、表示情報が情報単位と関連付けて記憶できるようになる。
【００１８】
次に、表示情報に基づいて、出力手段により選択された各情報単位を表示範囲に配置表示できるようにした。このようにすることにより、情報単位を構成する要素について表示する内容を取捨選択し表示情報に記憶することにより表示することができるようになる。このように、情報表示装置を構成することにより、情報データベースに記憶した情報単位を表示情報により、表示の設定することにより別の表示で、用いることができるようになる。また、情報単位に名称をつけて、表示情報と情報単位の名称で関連付け、さらに、表示内容については、構成する属性に対して、表示／非表示を指定するようにしたので、属性の値は、情報単位内のみに存在するようにすることが可能となる。従って、情報単位内の値を訂正することにより、関連付けられた表示情報全ての内容を訂正することが可能となる。
【００１９】
さらに、請求項２の発明によれば、第１表示制御データは、表示範囲における大きさ、表示形状、表示倍率をさらに有するようにしたので、元の情報単位に対して、表示画像においては、必要な大きさ、形状、表示倍率を設定することができるようになり、より良い画像を得ることができるようになる。これにより、１つの情報単位を複数の図面などで用いるとき、自由に大きさを決め、配置を行うことが可能となり、柔軟な情報の利用を行うことが可能となる。
【００２０】
さらに、請求項３の発明によれば、情報単位指定手段により選択された情報単位において、情報単位の表示内部にさらに他の情報単位を階層的に表示するために表示する情報単位の表示情報を選択的に指定し、第３の表示制御データとする階層的表示情報指定手段をさらに有するようにした。これにより、表示情報内部に他の表示情報を階層的に持つことができるようになり表示においても、階層的に表示することができるようになる。さらに、表示情報記憶手段は、第３の表示制御データをさらに記憶できるようにした。
【００２１】
さらに、請求項４の発明によれば、情報データベースにおいて、情報単位の属性を指定して、指定した属性の値を対象に該当する情報単位を検索する情報単位検索手段を有するようにしたので、指定した属性の値を有する情報単位を検索することができるようになる。さらに、検索結果表示制御データ生成手段により、情報単位検索手段により得られた検索結果の情報単位を表示する為に検索結果の情報単位の名称と関連させた第１表示制御データと、第２表示制御データを生成することができるようになる。これにより、検索した結果を新たな表示情報とし、結果を表示することができるようになる。
【００２２】
請求項５のプログラムに関する発明は、請求項１及び請求項２の情報表示装置に、請求項６のプログラムに関する発明は、請求項３の情報表示装置の発明に、請求項７のプログラムに関する発明は、請求項４の情報表示装置の発明に対応する。すなわち、請求項５乃至は請求項７に記載の手順をコンピュータに実行させるためのプログラムは、そのプログラムをコンピュータにおいて実行するとき、請求項１乃至請求項４に記載の情報表示装置の動作及び効果を奏するものである。よって、発明の効果は、請求項１乃至請求項４の装置発明の効果と同一であるので、重複記載を省略する。
【発明を実施するための最良の形態】
【００２３】
以下、本発明の情報表示装置について図面を参照して説明する。図７に本発明の情報表示装置の一実施例の接続ブロック図を示す。本発明の情報表示装置は、制御装置１０、入力装置４０、外部記憶装置４１、出力装置５０により構成され、制御装置１０は、制御演算手段２０、記憶手段３０により構成される。
【００２４】
先ず、収集した情報は表示情報において参照可能なフォーマットである情報単位として記憶手段３０の情報データベース記憶手段３１に記憶集積されている。同様に、情報単位を参照し、表示する表示情報は、表示情報記憶手段３２に記憶されている。情報単位、表示情報に付いては、発明の効果において詳説したので重複記載を省略する。制御演算手段２０は、ＣＰＵ、及び周辺のファームウエアにより構成され、表示する情報単位を指定し、情報単位の表示情報の第１の表示制御データを作成する情報単位指定手段２１、第２の表示制御データを設定する情報単位表示制御データ設定手段２２、表示情報の内部にさらに階層的に表示情報を設定し、階層的な表示を行うように第３の表示制御データを設定する階層的表示情報指定手段２３、さらに、情報単位の属性を指定し、指定した属性の値を対象にし、該当する情報単位を検索する情報単位検索手段２４、さらに、検索した情報単位を表示するための表示情報を自動的に生成する検索結果表示情報生成手段２５からなる。
【００２５】
次に、出力手段３５は、指定された表示情報に従い表示情報に関連つけられた情報単位を第１の表示制御データ、第２の表示制御データに従い配置し、出力装置５０の例えば、表示装置５１へ出力する。さらに、第３の表示制御データを有する場合は、第３の表示制御データの表示情報に従い階層的に情報単位を配置し、表示装置５１に出力する。入力装置４０は、キーボード、マウス、タッチパネル等のポインティングデバイス等により構成される。外部記憶装置４１は、ＣＤ−Ｒ／Ｗ、ＭＯ、ＨＤ等により構成され、プログラム、データベース、データの記憶、保管などに用いる。記憶手段３０は、ＲＡＭ，ＲＯＭからなり、必要な情報、プログラム等が予め記憶され、必要な情報を一時的に記憶する。また、情報表示装置１の処理の必要に応じて、外部記憶装置４１から随時データを読み出し、記憶手段３０上に置き、処理を行う。なお、制御演算手段２０が上記の各手段を構成しているように説明したが、各手段は、ハードウエアとしてはＣＰＵで構成され、ソフトウエアとしては制御演算手段２０の実行する処理ステップによっても構成されている。また、請求項のプログラムに関する発明を記述した手順は、これらの各手段において実行される制御演算手段２０の処理手順を意味する。なお、情報表示装置は、実際には、パソコン等のコンピュータ装置により構成される。
【００２６】
次に、本発明の情報表示装置における情報単位による情報データベースの蓄積、表示情報の設定、設定された表示情報による画像表示について情報表示装置の動作及び、処理手順について図を用いて説明する。先ず、本情報表示装置において用いられる情報単位、表示情報の構成、関係について図１、図２、図３、図４、図５、図６を用いて説明し、次に、フローチャートを用いて動作について詳細に説明する。
【００２７】
情報データベースは、複数の情報単位の蓄積により生成され、情報データベース記憶手段３１に記憶される。情報単位は、情報の名前と、その属性と属性の値の組により構成されている。情報単位を構成する属性は、情報により異なり、例えば、図２に示すように、加工機を例にとると、情報単位を構成する属性は、メーカー名、価格、写真などにより構成される。一方、図４に示すように、情報単位として、工場の情報の場合は、属性として、組立車種がある。これ以外にも、所在地、電話番号、従業員数、面積、生産高等を工場の属性と考えても良い。このように、情報の内容が異なれば、当然情報を構成する属性が異なる。本発明による情報データベースは、構成する情報の種類を限定せず、様々な情報を柔軟にデータベースとして蓄積することが可能である。
【００２８】
次に、情報単位に対する表示情報は、先ず、情報単位指定手段２１により、表示する情報単位を選択指定する。例えば、表示情報を作成するためのウインドウを準備する。表示情報作成ウインドウでは、情報単位を指定するために、サブウインドウが開き情報単位の一覧が表示される。この中から、表示したい情報単位をマウスなどで、クリックすることにより情報単位の選択指定を行う。次に、選択した情報単位の表示位置、大きさなどの表示に関わる情報を入力し、第１の表示制御データとする。第１の表示制御データを構成する大きさ、形状、色、位置、倍率の入力は、勿論、数値で入力しても良いが、プレビュー画面を用意し、表示領域内で占める大きさ、配置される位置、色、形状、倍率を確認し、マウスにより、位置を動かしたり、大きさを変えることができるようにしてもよい。表示形状は、予めいくつかのパターンを用意し、選択するようにする。又は、マウスにより、形状を自由に入力できるようにしても良い。
【００２９】
次に、情報単位を構成する属性について表示／非表示を情報単位表示制御データ設定手段２２により設定する。情報単位表示制御データ設定手段２２は、例えば、情報単位の属性を一覧表にして表示し、表示の可否を入力する欄を設けることにより、表示の可否を入力する。
【００３０】
次に、この情報単位の表示の内部に、他の情報単位を表示する必要がある場合は、図３に示すように、表示する情報単位の表示情報を第３の表示制御データとして、１つ乃至複数入力設定する。表示する情報単位の表示形式は、設定する表示情報により決定される。第３の表示制御データとして、表示する情報単位の表示情報を設定することにより、階層的に情報を表示することが可能となる。この例では、情報の名前ｉの表示情報を指定する為、階層の上位に位置する表示情報では、情報の名前ｉの表示情報の名前を入力指定する。この場合も、表示情報の一覧を表示させ、装置の中で、該当する表示情報をマウスなどのポインティングデバイスにより指示することで設定するようにしてもよい。図３の例では、第３の表示制御データとして、表示する情報単位を表示する表示情報の名前を指定するようにした。しかし、表示情報が特定できれば良いので、表示情報の名前以外の個別の識別子であっても良い。
【００３１】
表示情報を階層的にすると、図４に示すように、表示範囲において、情報単位の表示を、階層的にすることができるようになる。つまり、Ａ工場の表示情報の内部に、組立ラインの表示情報を第３の表示制御データとして設定する。さらに、組立ラインにおいては、加工機１、加工機２の表示情報を下位に持つことで、組立ラインの表示の内部に、加工機１、加工機２の表示をすることが可能となる。図５に具体的な表示情報の例を示す。 (ａ) は、Ａ工場についての情報単位を表示する表示情報である。このＡ工場の情報単位では、工場での組立車種のみが表示の対象となっている。 (ｂ) は、組立ライン１の表示情報である。この組立ライン１を構成する属性のうち表示するのは、生産部品名であるエンジンＥである。一方このラインを構成する加工機については、第３の表示制御データとして、加工機の表示情報（ｃ) 工程レイアウト加工機１、（ｄ) 工程レイアウト加工機２を設定することで、加工機の情報を表示するようにしている。
【００３２】
一方、１つの表示範囲内において、複数の情報単位を表示する場合は、並列的に、表示情報を作成する。つまり、情報の名前、第１の表示制御データ、第２の表示制御データ、第３の表示制御データを１つの組として、表示情報を複数の組で構成するようにする。
【００３３】
図６では、情報単位は同一でも表示情報が異なると、最終的な表示は異なったものになる１例である。情報単位は、加工機１であるが、コスト検討の表示情報を用いると、表示の対象となる属性は、メーカ名と、価格である。一方、工程レイアウト検討の表示情報では、メーカ名と、写真が、表示の対象となる。結果の出力画像については、同一の情報単位を用いても必要な情報のみの画像を得ることが可能となる。
【００３４】
次に、情報表示装置１の動作、処理手順について図８、図９、図１０、図１１、図１２、図１３、図１４、図１５、図１６のフローチャートを用い詳しく説明する。  
【００３５】
先ず、図８のフローチャートに従い概略の処理手順について説明する。情報表示装置１において、最初に初期画面を表示し、必要な情報をＨＤ等の外部記憶装置４１から記憶手段３０上に設定する（ステップ１００) 。ここでの必要な情報とは、プログラム、情報データベース、表示情報等である。初期画面においては、情報データベースの作成、訂正（ステップ１０２) 、表示情報の作成（ステップ１０４) 、表示情報を選択し、表示画像の出力( ステップ１０６) 、情報データベース内を検索し、検索結果の表示( ステップ１１０) を行う画面を例えば表示されたメニューから選択し、表示させることができる。初期画面においては、ステップ１１２において、終了と判断されるまで、ステップ１００から、ステップ１１０までを繰り返し実行し、上述したいずれかの処理がリクエストされた場合は、それぞれの処理が実行できるように対応するウインドウを開いたり、アクティブにする。
【００３６】
次に、情報データベースの作成手順について図９のフローチャートに従い詳しく説明する。先ず、情報データベースの作成、訂正がステップ１０２により、開始されるとステップ２００により、初期画面が表示され、必要の情報の初期化、設定が行われる。次に、ステップ２０１において、新しい情報単位の登録かどうか判断される。新しい情報単位の場合は、ステップ２０２において、情報単位の名称を入力する。一方、ステップ２０４では、登録済みの情報単位の訂正か判断する。訂正の場合は、ステップ２０６において、訂正する情報単位の選択をする。登録されていた情報単位が、呼び出され、表示される。ステップ２０８において、属性の設定、訂正か判断される。設定、訂正の場合は、ステップ２１０において、表示された属性を選択、又は、新たに入力する。ステップ２１２において、選択又は新しく入力された属性に対してその値が入力される。このとき、文字列なら、キーボードより、画像なら必要に応じて、スキャナから取り込み、該当するファイルのファイル名を入力する。ステップ２１４において、属性の設定は終了したか判断される。ステップ２１５において、入力、訂正された情報単位が情報データベースに登録され、情報データベースが更新される。ステップ２１６において、情報単位の訂正、登録作業は終了か判断され終了と判断されると、情報単位の登録訂正は終了しメニュー画面に戻る。
【００３７】
次に、ステップ１０４において、表示情報を作成する場合の詳細な処理手順について、図１０、図１４、図１５、図１３のフローチャートに従い詳しく説明する。ステップ３００において、表示情報の設定のウインドウを開き初期情報の設定を行う。ステップ３０２において、新規登録と判断された場合は、情報単位指定手段２１により、表示情報を作成する情報単位を選択指定する。一方、新規登録で無いと判断されると、表示情報の訂正かどうかステップ３０６で判断され、訂正の場合は、ステップ３０８において、訂正する表示情報を選択する。ステップ３０９において、設定された表示情報の情報により初期設定を行う。新規登録の場合は、空欄のまま入力画面を用意する。ステップ３１０において、第１の表示制御データを設定、訂正する。次にステップ３１２において、第２の表示制御データを設定、訂正する。さらに、ステップ３１４において、第３の表示制御データの設定、訂正を行う。ステップ３１６において、設定、訂正は終了と判断されると、設定、訂正された表示情報を表示情報記憶手段３２に書き込む（ステップ３１７) 。ステップ３１８において、終了と判断されると表示情報の登録、訂正を終了して表示情報のウインドウを閉じる。
【００３８】
ステップ３１０の第１の表示制御データの設定について、図１１のフローチャートに従い説明する。ステップ３２０において、設定された情報単位の表示を制御する第１の表示制御データを設定するために数値入力画面を表示する。このとき、表示情報を訂正するのであれば、あらかじめ第１の表示制御データが有るので、そのデータを表示する。新規に作成する場合は、デフォルトの値を予め設定する。ステップ３２２において、入力されている値によるレビュー画面での表示を行う。これにより、表示範囲内におけるおおよその位置関係を把握できるようにする。また、このプレビュー画面を通して、第１の表示制御データを設定できるようにする。ステップ３２４において、表示位置の入力を行う。又は、プレビュー画面に表示された表示領域内の位置をマウスで、移動させ表示位置を設定する。ステップ３２６においては、大きさの入力を行う。数値を入力する、またはプレビュー画面に表示された表示領域の大きさをマウス等で変更し、大きさを設定する。ステップ３２８において、形状の入力を行う。表示領域の形状は、予め用意された形状を選択する。又は、マウスにより、表示領域を描画して設定しても良い。次に、ステップ３２９において、色の選択が実行される。次に、ステップ３３０において、拡大、縮小の必要にあるときは、倍率を入力する。さらに、ステップ３３２において、位置、大きさ、形状、倍率以外の例えば、背景色等の表示制御情報を入力する。ステップ３３４において終了と判断されると、第１の表示制御データの設定のウインドウを閉じる。情報単位指定手段２１は制御演算手段２０によるステップ３２０からステップ３３２の処理の実行により実現される。
【００３９】
次に、ステップ３１２における第２の表示制御データの設定の処理手順について図１２のフローチャートにより説明する。先ず、ステップ３４０において、設定された情報単位の属性の表示の可否である第２の表示制御データを設定するために、情報単位の属性と値と表示の可否の設定欄を設けた一覧表を表示する。ステップ３４２において、デフォルト値によるプレビュー画面を表示する。ここでは、デフォルト値は、情報の名前のみの表示とする。次に、ステップ３４４において、各属性について表示の可否を設定する。表示の可否の設定と共に、プレビュー画面には、表示可となった属性に付いてはその値を表示するようにする。さらに、ステップ３４６において、各属性について、表示の可否以外の表示制御データを入力する。属性の値により異なるが、例えば、属性の値が、文字列の場合、文字の大きさ、利用するフォント、文字の配列、文字のカラーなどである。これも、入力するとプレビュー画面に反映表示される。ステップ３４８において、終了と判断されるまで、繰り返し、入力、変更される。終了と判断されると、第２の表示制御データとして記憶される。情報単位表示制御データ設定手段２２は制御演算手段２０によるステップ３４０からステップ３４８の処理の実行により実現される。
【００４０】
次に、ステップ３１４における第３の表示制御データの設定、訂正の処理手順について図１３のフローチャートに従い説明する。先ず、ステップ３６０において、設定された情報単位の第３の表示制御データを設定するために設定画面、表示情報一覧を表示する。
ステップ３６２において、現在設定されているデータによるプレビュー画面を表示する。ステップ３６４において、表示情報一覧から、表示したい情報単位の表示情報を選択して第３の表示制御データに設定する。ステップ３６６において、プレビュー画面により位置、大きさなどの確認をし必要なら修正を行う。ステップ３６６において終了と判断されるまで、繰り返し、設定、修正を行う。ステップ３７０において、表示情報は、表示情報記憶手段３２に記憶され、設定画面を閉じて終了する。階層的表示情報指定手段２３は制御演算手段２０によるステップ３６０からステップ３７０の処理の実行により実現される。  
【００４１】
次に、ステップ１１０における情報単位の属性の値における検索と、検索結果の表示情報の設定の処理手順について図１４、図１５のフローチャートに従い説明する。
【００４２】
先ず、ステップ４００において、初期画面の表示、及び表示する表示情報の選択をする。ステップ４０２において、設定された表示情報の表示情報記憶手段３２からの読み出しを行う。ステップ４０３において、表示情報を構成する情報単位の名称を１番目から順に表示を行うために設定する。ステップ４０４において、ステップ４０３において設定された情報単位の名称から、情報データベース記憶手段３１内を検索し、情報単位の情報を得る。ステップ４０６では、対応する第１の表示制御データに従い表示領域を確保し、表示の準備をする。ステップ４０８において、対応する第２の表示制御データに従い「表示」 の指定の属性値を順に表示する。このとき個別に表示制御データがあるものに付いては、その制御データに従い、表示を行う。ステップ４１０において、対応する第３の表示制御データに従い、表示情報を表示情報記憶手段３２から読み出す。ステップ４１２において、該当する表示情報にの第１の表示制御データに従い表示領域を確保し、該当する情報単位の情報を得る。ステップ４１４において、第２の表示制御データに従い、情報単位の属性値の表示を行う。ステップ４１６において、該当する表示情報の第３の表示制御データがあれば、同様に、表示情報記憶手段３２から、表示情報を読み出し、順に同様の処理を行い表示を行う。ステップ４１８において、第３の表示制御データは終了か判断し、次のデータがあれば、ステップ４１０に戻り繰り返し、第３の表示制御データのデータがなくなるまで表示を階層的に行う。第３の表示制御データのデータが終了すると、ステップ４２０において、表示情報を構成する情報単位が終了したか否かを判断する。次の情報単位が有れば、ステップ４０３に戻り、情報単位がなくなるまで、繰り返し表示を行い、出力画像を作成する。出力手段３５は制御演算手段２０によるステップ４００からステップ４２０の処理の実行により実現される。
【００４３】
ステップ１０８において、属性の値を指定して検索すると判断されると、ステップ１１０において、情報単位の属性の値による検索検索結果の表示情報の設定と表示情報に従い結果の表示を行う。図１６のフローチャートに従い、処理の手順について説明する。
【００４４】
先ず、ステップ５００において、初期情報、検索画面の設定が行われる。検索画面では、属性とその値が入力できるようになっている。ステップ５０２において、検索する属性と、属性値を設定する。ステップ５０４において、検索を実行し、該当する情報単位を一旦記憶手段３０に記憶する。検索方法に付いては、よく知られているので、ここでは説明しない。このとき表示情報の名称は、検索した属性と属性値から自動的に設定する。例えば、属性が「メーカ名」 、属性値が「Ａ精密機械」 だとすると、「メーカ名. Ａ精密機械」と言った名称をつけるようにする。ステップ３０６において、該当した情報単位の名称を表示情報を構成する情報単位の名称として全て設定する。ステップ５０８において、設定した情報単位毎に第１の表示制御データを表示領域が重ならないように順に設定する。ステップ５１０において、情報単位毎に情報単位の名称と、検索した属性の値を表示するように第２の表示制御データを設定する。ステップ５１２において、生成した表示情報を表示情報記憶手段３２に記憶する。ステップ５１４において、生成した表示情報により出力画像を生成し、検索結果を表示する。検索結果表示制御データ生成手段２５は制御演算手段２０によるステップ５００からステップ５１２の処理の実行により実現される。
【００４５】
以上のように構成することにより、情報表示装置１を実現する事が可能となる。
【産業上の利用可能性】
【００４６】
このように情報表示装置を構成し、実施することで情報の種類によらず同一のデータベース上に情報を持つことが可能となり、広く情報を共有して、活用することが可能となる。また、情報の一元管理が可能となり、情報の改正、訂正があった場合も、速やかに対応することが可能となる。
さらに、本発明では、情報の共有を表示にのみ反映させたが、情報単位のどの情報を用いるかを決定する制御データを持つことにより、統計、集計などにも応用が可能である。
【００４７】
上述した実施形態は、本発明の一例であって、これに限定されるものではなく、発明の本質に照らして、様々な変形例が考えられる。
【図面の簡単な説明】
【００４８】
【図１】本発明で用いる情報の構成の説明図。
【図２】本発明で用いる情報の構成を実例を示しての説明図。
【図３】表示情報における階層表示の構成の説明図。
【図４】情報単位の階層表示例の説明図。
【図５】情報単位の階層表示の表示情報の構成例の説明図。
【図６】表示情報の違いによる表示の違いの説明図。
【図７】本発明の情報表示装置の構成を説明する接続ブロック図。
【図８】情報表示装置の外力の処理手順のフローチャート。
【図９】情報データベースの作成手順のフローチャート。
【図１０】表示情報作成の処理手順のフローチャート。
【図１１】第１の表示制御データの設定、訂正の処理手順のフローチャート。
【図１２】第２の表示制御データの設定、訂正の処理手順のフローチャート。
【図１３】第３の表示制御データの設定、訂正の処理手順のフローチャート。
【図１４】表示画像の出力の処理手順のフローチャート（その１) 。
【図１５】表示画像の出力の処理手順のフローチャート（その２) 。
【図１６】情報単位の属性の値による検索、検索結果の表示情報の設定の処理手順のフローチャート。
【符号の説明】
【００４９】
１…情報表示装置
１０…制御装置
２０…制御演算手段
２１…情報単位指定手段
２２…情報単位表示制御データ設定手段
２３…階層的表示情報指定手段
２４…情報単位検索手段
２５…検索結果表示制御データ生成手段
３０…記憶手段
３１…情報データベース記憶手段
３２…表示情報記憶手段
３５…出力手段
４０…入力装置
４１…外部記憶装置
５０…出力装置
５１…表示装置
５２…プリンタ
【図１】
2005284500.tif 000003
【図２】
2005284500.tif 000004
【図３】
2005284500.tif 000005
【図４】
2005284500.tif 000006
【図５】
2005284500.tif 000007
【図６】
2005284500.tif 000008
【図７】
2005284500.tif 000009
【図８】
2005284500.tif 000010
【図９】
2005284500.tif 000011
【図１０】
2005284500.tif 000012
【図１１】
2005284500.tif 000013
【図１２】
2005284500.tif 000014
【図１３】
2005284500.tif 000015
【図１４】
2005284500.tif 000016
【図１５】
2005284500.tif 000017
【図１６】
2005284500.tif 000018